(57)【特許請求の範囲】
【請求項１】
ＬＡＮケーブル用コネクタのラッチ用フラッパを覆う第１カバー部と、
前記第１カバー部と組み合わされて前記ＬＡＮケーブル用コネクタの外周を覆う筐体を構成する第２カバー部と、を有し、
前記第１カバー部は、前記ラッチ用フラッパに向けて貫通した細孔が形成され、
前記第２カバー部は、前記ＬＡＮケーブル用コネクタのケーブル接続部外殻に形成された凹部に係合する係止用凸部が内面に突設されている、
ラッチ解除阻止筐体。
【請求項２】
ＬＡＮケーブル用コネクタのラッチ用フラッパを含む外周を覆う筐体に前記ラッチ用フラッパに向けて貫通した細孔が形成されたラッチ解除阻止筐体に対応するラッチ解除用工具であって、
前記細孔を通して前記ラッチ用フラッパに達する押圧片部と、
前記押圧片部から離隔する方向に延びる第1被操作部と、
前記第1被操作部と所定の可動結合部で部分的に結合され、且つ、前記押圧片部側に向けて延びるとともに、前記押圧片部に対して接近可能な第２被操作部と、
を含んでなり、
前記第1被操作部及び前記第２被操作部は一連なりの弾性のある金属を折り曲げ加工して構成され、且つ、前記押圧片部は、前記第1被操作部の延長端を適切な角度に折り曲げて形成されているラッチ解除用工具。
【発明の詳細な説明】
【技術分野】
【０００１】
本発明は、例えば、ＲＪ４５型コネクタなどのロック機構を備えたＬＡＮケーブル用コネクタのラッチ解除阻止筐体及びラッチ解除用工具に関する。
【背景技術】
【０００２】
例えば、ＲＪ４５型コネクタなどのロック機構を備えたＬＡＮケーブル用コネクタ（プラグ側）は、ジャック側に挿入されてラッチされた状態から、ラッチ用フラッパを押し下げながら引くことで容易に外すことができる。このように誰でも容易に挿抜ができるということは、コネクタとして使い勝手が良い反面、情報セキュリティ上の不安も大きい。
このため、本出願人は、汎用性があるとともにケーブルを引き抜くことなく装着することができるロック機能付コネクタカバーを既に提案した（特許文献１）。
【先行技術文献】
【特許文献】
【０００３】
【特許文献１】特開２０１２−２２１８１７号公報
【発明の概要】
【発明が解決しようとする課題】
【０００４】
特許文献１の提案は、コネクタの差込口を備えた機器に該コネクタを差し込んでＬＡＮケーブルを該機器に接続したときに、該コネクタの差込口から露出している露出部分全体を、コネクタカバーで覆い、且つ、ロック手段でコネクタカバー手段を取り外すことができないようにするというものである。
【０００５】
しかしながら、特許文献１の技術を提案した時点では、このようなコネクタカバーを装着した後に、特定の管理者等に限り、ＬＡＮケーブル用コネクタ（プラグ側）の抜去を容易に行えるようにすることについては、特段の提案をしていなかった。
本発明は、上述のような状況に鑑みてなされたものであり、ロック機構を備えたＬＡＮケーブル用コネクタの抜去を不特定の者には許容しない一方、特定の者に限り容易に行えるようにした、ラッチ解除阻止筐体及びラッチ解除用工具を提供することを目的とする。
【課題を解決するための手段】
【０００６】
上記目的を達成するために、ここに次のような技術を提案する。
【０００７】
ＬＡＮケーブル用コネクタ（例えば、後述のＬＡＮケーブル用コネクタ１０）のラッチ用フラッパ（例えば、後述のラッチ用フラッパ１２）を覆う第１カバー部（例えば、後述の第１カバー部１１０）と、
前記第１カバー部と組み合わされて前記ＬＡＮケーブル用コネクタの外周を覆う筐体を構成する第２カバー部（例えば、後述の第２カバー部１２０）と、を有し、
前記第１カバー部は、前記ラッチ用フラッパに向けて貫通した細孔（例えば、後述の細孔１１１）が形成され、
前記第２カバー部は、前記ＬＡＮケーブル用コネクタのケーブル接続部外殻に形成された凹部（例えば、後述の凹部１３）に係合する係止用凸部（例えば、後述の係止用凸部１２１）が内面に突設されている、
ラッチ解除阻止筐体（例えば、後述のラッチ解除阻止筐体１００）。
【０００８】
ＬＡＮケーブル用コネクタ（例えば、後述のＬＡＮケーブル用コネクタ１０）のラッチ用フラッパ（例えば、後述のラッチ用フラッパ１２）を含む外周を覆う筐体（例えば、後述のラッチ解除阻止筐体１００の第１カバー部１１０）に前記ラッチ用フラッパに向けて貫通した細孔（例えば、後述の細孔１１１）が形成されたラッチ解除阻止筐体（例えば、後述のラッチ解除阻止筐体１００）に対応するラッチ解除用工具（例えば、後述のラッチ解除用工具２００）であって、
前記細孔を通して前記ラッチ用フラッパに達する押圧片部（例えば、後述の押圧片部２１１）と、
前記押圧片部から離隔する方向に延びる第1被操作部（例えば、後述の第1被操作部２１２）と、
前記第1被操作部と所定の可動結合部（例えば、後述の可動結合部２３０）で部分的に結合され、且つ、前記押圧片部側に向けて延びるとともに、前記押圧片部に対して接近可能な第２被操作部（例えば、後述の第２被操作部２２１）と、
を含んでなり、
前記第1被操作部及び前記第２被操作部は一連なりの弾性のある金属を折り曲げ加工して構成され、且つ、前記押圧片部は、前記第1被操作部の延長端を適切な角度に折り曲げて形成されているラッチ解除用工具。
【発明の効果】
【０００９】
本発明によれば、ロック機構を備えたＬＡＮケーブル用コネクタの挿抜を不特定の者には許容しない一方、特定の者に限り容易に行えるようにした、ラッチ解除阻止筐体及びラッチ解除用工具を具現することができる。
【図面の簡単な説明】
【００１０】
【図１】本発明の一実施形態としてのラッチ解除阻止筐体が取付けられたＬＡＮケーブル用コネクタを本発明に関連するラッチ解除用工具を用いてラッチ解除する様子を示す図である。
【図２】図1のラッチ解除阻止筐体を説明するための図である。
【図３】図1のラッチ解除用工具を説明するための図である。
【図４】図1のラッチ解除阻止筐体の装着要領を説明するための図である。
【図５】本発明の実施形態としてのラッチ解除用工具を示す図である。
【図６】本発明を適用するＬＡＮケーブル用コネクタを例示する図である。
【発明を実施するための形態】
【００１１】
以下、図面を参照して本発明の実施形態について詳述することにより本発明を明らかにする。
【００１２】
図６は、本発明を適用するＬＡＮケーブル用コネクタを例示する図である。
ＬＡＮケーブル用コネクタ１０は、ＬＡＮケーブル２０の端部に設けられた、例えば、ＲＪ４５型コネクタなどのロック機構を備えたコネクタプラグであり、電子機器であるハブ３０に設けられたコネクタジャック（不図示）に差し込まれる。このＬＡＮケーブル用コネクタ１０を、以下、適宜、コネクタ１０と称する。
図６の（Ａ）には、コネクタ１０をハブ３０のコネクタジャックから引き抜いた状態が示され、図６の（Ｂ）には、コネクタ１０をハブ３０のコネクタジャックに差し込んだ状態が示されている。
【００１３】
コネクタ１０の本体１１には、コネクタジャックに差し込んだ状態でラッチするためのラッチ用フラッパ１２が設けられている。
コネクタ１０の先端をコネクタジャックの受け口に合わせて差し込む際に、ラッチ用フラッパ１２の尾部側が一旦本体１１に接近するように変位した後、更に押し込まれたときに元の姿勢に復帰して、コネクタジャック側の係止部にラッチ用フラッパ１２の被係止部（不図示）が引っ掛かることによって、ラッチがかかる。これが図６の（Ｂ）の状態である。
図６の（Ｂ）の状態から、コネクタ１０を引き抜く際には、ラッチ用フラッパ１２の尾部を本体１１側に押圧変位させてラッチを解除させる。この状態のままで、コネクタ１０を引くことにより、コネクタ１０をコネクタジャックから抜去することができる。
尚、周知の通り、ＬＡＮケーブル用コネクタ１０では、ＬＡＮケーブル２０の導線を本体１１の各対応する接触導体部に接続するためのカシメ工程で、本体１１のラッチ用フラッパ１２とは反対側のケーブル接続部外殻に凹部１３が形成される。
【００１４】
図１は、本発明のラッチ解除阻止筐体１００が取付けられたＬＡＮケーブル用コネクタ１０をラッチ解除用工具２００を用いてラッチ解除する様子を示す図である。図１におけるラッチ解除阻止筐体１００は本発明の一実施形態であり、ラッチ解除用工具２００も本発明の一実施形態である。
図１において、既述の図６との対応部には同一の符号が附されている。図１におけるＬＡＮケーブル用コネクタ１０は、電子機器であるハブ３０に設けられたコネクタジャック（不図示）に差し込まれた状態、即ち、既述の図６の（Ｂ）と同じ状態にある。
ＬＡＮケーブル用コネクタ１０にはその外周を覆うようにラッチ解除阻止筐体１００が取付けられている。
ラッチ解除阻止筐体１００は、全体が同質の樹脂製であり、ＬＡＮケーブル用コネクタ１０のラッチ用フラッパ１２を覆う第１カバー部１１０と、第１カバー部１１０と組み合わされてコネクタ１０の外周を覆う筐体を構成する第２カバー部１２０とを有する。
第１カバー部１１０には、コネクタ１０のラッチ用フラッパ１２に向けて貫通したスリット状の細孔１１１が形成されている。
また、第２カバー部１２０には、コネクタ１０に形成された既述の凹部１３に係合する係止用凸部１２１が内面に突設されている。
【００１５】
ラッチ解除用工具２００は、一定の剛性を有する板状の第1部材２１０と第２部材２２０との各基端部側が、本例ではヒンジである可動結合部２３０で結合されて構成されている。
第1部材２１０は、基端部側とは反対側の先端部側に、ラッチ解除阻止筐体１００（その第１カバー部１１０）の細孔１１１を通してコネクタ１０のラッチ用フラッパ１２に達する押圧片部２１１を持ち、この押圧片部２１１から離隔する方向（即ち、可動結合部２３０側）に延びる第1被操作部２１２を有する。
また、第２部材２２０は、可動結合部２３０から第1被操作部２１２の押圧片部２１１に対応する部位に向けて延びる第２被操作部２２１を有する。可動結合部２３０は上述のとおりヒンジであるため、第２部材２２０（第２被操作部２２１）の可動結合部２３０から離隔した部位は、第1部材２１０（第1被操作部２１２）に対し接近しまた離隔するように変位可能である。
【００１６】
ラッチ解除用工具２００における第1部材２１０の押圧片部２１１をラッチ解除阻止筐体１００の細孔１１１に差し込み、第1部材２１０の第1被操作部２１２と第２部材２２０の第２被操作部２２１とを両者を握持するなどして相互に接近する方向に変位させる。このようにすると、押圧片部２１１がコネクタ１０のラッチ用フラッパ１２を押圧するので、コネクタ１０のラッチが解除される。
上述のようにしてラッチが解除された状態で、ラッチ解除用工具２００を握持したままラッチ解除阻止筐体１００ごとコネクタ１０をハブ３０のコネクタジャック（不図示）から後退させる方向に引くと、コネクタ１０は無理なく抜去される。
【００１７】
次に、上述の図１に図２及び図３を併せ参照して、ラッチ解除阻止筐体１００及びラッチ解除用工具２００について更に詳述する。
図２は、図1のラッチ解除阻止筐体１００を複数の視点から見た図であり、図２の、（Ａ）は平面視、（Ｂ）は左側面視、（Ｃ）は正面視、（Ｄ）は背面視、（Ｅ）は底面視の、各視点から見た状態を表している。
また、図３は、図1のラッチ解除用工具２００を側面から見た図である。
図２及び図３において、既述の図１との対応部には同一の符号が附されている。
ラッチ解除阻止筐体１００は、第１カバー部１１０と第２カバー部１２０とは、上下に組み合わされて、コネクタ１０の概略直方体の本体１１を略隙間なく収容するコネクタ本体収容空間１００ａを構成している。
【００１８】
また、第１カバー部１１０と第２カバー部１２０との後方側には、コネクタ１０の本体１１から後方に導出されたＬＡＮケーブル２０に向けて漸次縮径するように錘状に突出したコーン状部１３０が連なって形成されている。このコーン状部１３０は、第１カバー部１１０に連なる上部コーン１３１と、第２カバー部１２０連なる下部コーン１３２と、が上下に合わされて構成されている。コーン状部１３０の漸次縮径する後部側の端部にはＬＡＮケーブル２０を略隙間なく通すケーブル挿通孔１３０ａが形成されている。
【００１９】
第１カバー部１１０の、コネクタ１０本体１１の上側部分を収容する角型の上側コネクタ本体収容部１１２の上にラッチ用フラッパ１２を収容するフラッパ収容部１１３が連なるようにして構成されている。
本例のフラッパ収容部１１３は、上側コネクタ本体収容部１１２よりも幅が狭く、ラッチ用フラッパ１２の長手方向に沿って延長した角型を呈し、上側コネクタ本体収容部１１２の前端（対応するコネクタジャックに対向する端部）よりも更に前側に延長した前側延長部１１４を有する。また、フラッパ収容部１１３の後端側は適宜の壁面で閉じられている。
フラッパ収容部１１３が上側コネクタ本体収容部１１２よりも幅狭に構成されているため、図２の（Ｃ）及び（Ｄ）にて顕著なとおり、コネクタ本体収容空間１００ａは、上側コネクタ本体収容部１１２の上壁内面からフラッパ収容部１１３内に連なる部位に、幅狭になる段差が形成される。このため、コネクタ本体収容空間１００ａに収納されたコネクタの本体１１は搖動することがない。
【００２０】
既述の細孔１１１は、フラッパ収容部１１３に形成されている。即ち、フラッパ収容部１１３上面に、その上面の幅を横断する向きで、該幅からフラッパ収容部１１３の左右側板の厚みを除く範囲に、スリット状に細孔１１１が形成されている。また、この細孔１１１は、その上方開口位置から深さ方向に沿って垂下する平行な２枚の内壁１１１ａ、１１１ｂによって、一定深度までスリットの隙間寸法が維持されるように形成されている。
本例では、この一定深度とは、フラッパ収容部１１３の高さにおける中程の水準までの程度であり、フラッパ収容部１１３にコネクタ１０の傾斜したラッチ用フラッパ１２を収容するときに、内壁１１１ａ、１１１ｂの最深部がこれに干渉しないように設定されている。
【００２１】
一方、第２カバー部１２０の、コネクタ１０本体１１の下側部分を収容する角型の下側コネクタ本体収容部１２２の底部内面側に、既述の係止用凸部１２１が形成されている。この係止用凸部１２１は、前方から後方に向けて漸次高さを増す傾斜面部１２１ａと、この傾斜面部の後方端から下側コネクタ本体収容部１２２の底部内面に略垂直に降下する係止面部１２１ｂとを有する、側方視で断面が垂直三角形状をなしている。
【００２２】
上述のように構成された本例のラッチ解除阻止筐体１００は、ハブ３０（コネクタジャック）に向かって右側の側面で、第１カバー部１１０（その上側コネクタ本体収容部１１２）と第２カバー部１２０（その下側コネクタ本体収容部１２２）とが、肉薄に成形された樹脂による可動結合部１４１でヒンジのように結合され、左側の側面で上下に開閉可能に構成されている。
また、上側コネクタ本体収容部１１２と下側コネクタ本体収容部１２２との左側の側面は上述のように開閉可能であり、且つ、相互の凹凸に形成された係合部（不図示）で弾性的に係合することによって、閉止状態を維持することができるように構成されている。
【００２３】
他方、ラッチ解除用工具２００は、既述のように、一定の剛性を有する板状の第1部材２１０と第２部材２２０との各基端部側が、可動結合部２３０で結合されて構成されている。図３の例では、押圧片部２１１を有する第1部材２１０及び第２部材２２０とも金属板で構成され、可動結合部２３０はヒンジである。第1部材２１０及び第２部材２２０はヒンジ２３０を軸として両者の開き角度が可変である。従って、既述の通り、第２部材２２０（第２被操作部２２１）のヒンジ２３０から離隔して押圧片部２１１側に向けて延びる部位は、第1部材２１０（第1被操作部２１２）に対し接近しまた離隔するように変位可能である。
第1部材２１０先端の押圧片部２１１は、ラッチ解除阻止筐体１００における第１カバー部１１０のフラッパ収容部１１３に形成されたスリット状の細孔１１１の上記深度を超える長さを有する。本例の押圧片部２１１は、金属板である第1部材２１０の第1被操作部２１２の延長端を適切な角度に折り曲げて形成されている。
【００２４】
次に、上述のラッチ解除阻止筐体１００をＬＡＮケーブル用コネクタ（コネクタプラグ）１０に取付ける操作について説明する。
図４は、図1のラッチ解除阻止筐体１００の装着要領を説明するための図である。図４において既述の図１及び図２との対応部には同一の符号を附して示してある。
先ず、図４（Ａ）のように、ラッチ解除阻止筐体１００の可動結合部１４１でヒンジ結合された第１カバー部１１０と第２カバー部１２０とを開く。
次いで、図４（Ｂ）のように、ハブ３０（その、不図示のコネクタジャック）にコネクタ１０が差し込まれたままの状態で、このコネクタ１０から後退した位置のＬＡＮケーブル２０をラッチ解除阻止筐体１００の第１カバー部１１０と第２カバー部１２０とを上下から噛むようにして合わせて閉じる。
【００２５】
このように閉じると、図４（Ｃ）のように、第１カバー部１１０と第２カバー部１２０とは既述の左側面の係合部で係合し、両者が合わされて、内側にコネクタ本体収容空間１００ａができる。
図４（Ａ）から図４（Ｃ）までの操作は、コネクタ１０からは適当に離れたＬＡＮケーブル２０上の位置で行う。このため、仮に、ハブ３０の多数のコネクタジャックにコネクタ（プラグ）が密集して差し込まれていたとしても、ここから離れたＬＡＮケーブル２０上で密集を避けた作業空間を適宜確保して、第１カバー部１１０と第２カバー部１２０との開閉、従って、ラッチ解除阻止筐体１００の取付け、を支障なく行うことができる。
次いで、図４（Ｃ）のように、第１カバー部１１０と第２カバー部１２０とが合わされて、内側にコネクタ本体収容空間１００ａができたラッチ解除阻止筐体１００を、ＬＡＮケーブル２０に沿ってコネクタ１０の位置まで移動させる。
【００２６】
この移動により、図４（Ｄ）のように、ラッチ解除阻止筐体１００が正規の装着位置に至り、第２カバー部１２０の係止用凸部１２１がコネクタ１０の凹部１３に嵌まり込む。このようにして、ラッチ解除阻止筐体１００はコネクタ１０に係止された状態に至り、コネクタ１０から離脱しなくなる。係止された状態に至る過程では、係止用凸部１２１の傾斜面部１２１ａがコネクタ１０との隙間に徐々に滑り込み、これにより第２カバー部１２０の下側コネクタ本体収容部１２２が弾性変形する。そして、やがて、係止用凸部１２１の係止面部１２１ｂがコネクタ１０の凹部１３の後壁に接した状態で、係止用凸部１２１が凹部１３に嵌入する。嵌入すると下側コネクタ本体収容部１２２の弾性変形は元に復帰し、ラッチ解除阻止筐体１００がコネクタ１０に係止された状態が維持される。
【００２７】
上述のようにコネクタ１０にラッチ解除阻止筐体１００が装着された後は、図１を参照して既述のように、ラッチ解除用工具２００を用いて、ラッチ解除阻止筐体１００が装着されたままの状態で、コネクタ１０をジャックから無理なく抜去することができる。この場合、コネクタ１０には直後にＬＡＮケーブル２０が連なっているが、ＬＡＮケーブル２０を適当に撓わせておけば、コネクタ１０の背後からラッチ解除用工具２００をアプローチさせるに支障はない。
【００２８】
図５は、本発明の実施形態としてのラッチ解除用工具を示す図である。
図５において、既述の図３との対応部には同一の符号を附して示し、個々の部位の説明は適宜省略する。
図５のラッチ解除用工具２００ａは、第1被操作部２１２を含む第1部材２１０及び第２被操作部２２１を含む第２部材２２０が一連なりの弾性のある金属板を折り曲げ加工して構成され、可動結合部２３０ａはその可撓性のある折り曲げ部である。従って、第２部材２２０（第２被操作部２２１）の可動結合部２３０ａから離隔した部位は、第1部材２１０（第1被操作部２１２）に対し接近しまた離隔するように変位可能である。
本例においても、押圧片部２１１は、金属板である第1部材２１０の第1被操作部２１２の延長端を適切な角度に折り曲げて形成されている。
使用方法等は、図３のラッチ解除用工具２００と変わりがない。
【００２９】
以上に詳述した本発明の実施形態としてのラッチ解除阻止筐体及びラッチ解除用工具によれば次のような作用効果を奏する。
【００３０】
本発明の実施形態としてのラッチ解除阻止筐体１００は、ＬＡＮケーブル用コネクタ１０のラッチ用フラッパ１２を覆う第１カバー部１１０と、第１カバー部１１０と組み合わされてＬＡＮケーブル用コネクタ１０の外周を覆う筐体を構成する第２カバー部１２０と、を有し、第１カバー部１１０は、ラッチ用フラッパ１２に向けて貫通した細孔１１１が形成され、第２カバー部１２０は、ＬＡＮケーブル用コネクタ１０のケーブル接続部外殻に形成された凹部１３に係合する係止用凸部１２１が内面に突設されている。
【００３１】
このようなラッチ解除阻止筐体１００によれば、ラッチ用フラッパ１２が第１カバー部１１０で覆われるため、ＬＡＮケーブル用コネクタ１０の不正な抜き取りを予防することができる。
また、図４を参照して説明したように、多数のコネクタジャックにＬＡＮケーブル用コネクタ１０（プラグ）が密集して差し込まれていたとしても、ここから離れたＬＡＮケーブル２０上で密集を避けた作業空間を適宜確保して、第１カバー部１１０と第２カバー部１２０との開閉を支障なく行えるため、ラッチ解除阻止筐体１００をＬＡＮケーブル用コネクタ１０に装着することができる。
【００３２】
また、既存のＬＡＮケーブル用コネクタ１０に後付けでラッチ解除阻止筐体１００を装着するものであるため、不正な抜き取りを予防するために特殊な構造の専用コネクタを用意する必要がない。
また、図４を参照して説明したように、コネクタジャックにＬＡＮケーブル用コネクタ１０（プラグ）を差し込んだままの状態でラッチ解除阻止筐体１００をＬＡＮケーブル用コネクタ１０に装着可能である。このため、装着作業に際してもＬＡＮケーブル２０による通信を中断させる必要がない。
【００３３】
また、本発明の実施形態としてのラッチ解除用工具２００は、ＬＡＮケーブル用コネクタ１０のラッチ用フラッパ１２を含む外周を覆う筐体にラッチ用フラッパ１２に向けて貫通した細孔１１１が形成されたラッチ解除阻止筐体１００に対応するラッチ解除用工具２００であって、細孔１１１を通してラッチ用フラッパ１２に達する押圧片部２１１と、
押圧片部２１１から離隔する方向に延びる第1被操作部２１２と、第1被操作部２１２と所定の可動結合部２３０で部分的に結合され、且つ、押圧片部２１１側に向けて延びるとともに、押圧片部２１１に対して接近可能な第２被操作部２２１と、を含んで構成される。
【００３４】
上述のような、ラッチ解除阻止筐体１００及びラッチ解除用工具２００によれば、ＬＡＮケーブル用コネクタ１０を抜去するには専用の工具であるラッチ解除用工具２００が必要とされるため、許可を得た者のみがＬＡＮケーブル用コネクタ１０を抜去できる管理体制を敷くことができる。
また、ラッチ解除阻止筐体１００及びラッチ解除用工具２００によれば、ラッチ解除阻止筐体１００の細孔１１１と、これに適合するラッチ解除用工具２００の押圧片部２１１とを、種々形を変えた複数の組み合わせとして準備することにより、適用対象の群ごとに専用のラッチ解除用工具２００のみが適合することになり、セキュリティの向上が図られる。
【００３５】
コネクタ１０には直後にＬＡＮケーブル２０が連なっているが、たとえ多数のコネクタジャックにＬＡＮケーブル用コネクタ１０（プラグ）が密集して差し込まれていたとしても、ＬＡＮケーブル２０を適当に撓わせておけば、コネクタ１０の背後からラッチ解除用工具２００をアプローチさせ、支障なくコネクタ１０を抜去することができる。
また、コネクタ１０に色分けにより誤配線を防止する保護カバーなどが適用されていても、このような保護カバーの寸法を見込んだ寸法でラッチ解除阻止筐体１００及びラッチ解除用工具２００を構成すれば、保護カバーを装着したままで、ラッチ解除阻止筐体１００及びラッチ解除用工具２００を適用できる。
【００３６】
また、図４（Ｃ）を参照して説明したように、ラッチ解除阻止筐体１００の装着作業の過程で、第１カバー部１１０と第２カバー部１２０とが合わされて、内側にコネクタ本体収容空間１００ａができたラッチ解除阻止筐体１００を、ＬＡＮケーブル２０に沿ってコネクタ１０の位置まで移動させる。この移動方向は、コネクタ１０が差し込まれているコネクタジャックに向かう方向である。従って、装着作業の過程でコネクタ１０をコネクタジャックから引き抜く方向の力が作用せず、コネクタ１０が不用意に抜去されてしまうおそれがない。
【００３７】
更にまた、図２（Ａ）及び図２（Ｂ）を参照して説明したように、細孔１１１は、その上方開口位置から深さ方向に沿って垂下する平行な２枚の内壁１１１ａ、１１１ｂによって、一定深度までスリットの隙間寸法が維持されるように形成されている。
このため、ラッチ解除用工具２００を持たない者が、不正に、ボールペンのペン先やシャープペンシルの先端ガイドパイプなどで細孔１１１からコネクタ１０のラッチ用フラッパ１２を押圧しようと試みても、これらでは細孔１１１の深部に達せず、コネクタ１０を抜去することはできない。
【００３８】
また、図２を参照して説明したように、ラッチ解除阻止筐体１００における第１カバー部１１０の、コネクタ１０本体１１の上側部分を収容する角型の上側コネクタ本体収容部１１２の上にフラッパ収容部１１３が設けられている。そしてこのフラッパ収容部１１３は、上側コネクタ本体収容部１１２の前端（対応するコネクタジャックに対向する端部）よりも更に前側に延長した前側延長部１１４を有する。
従って、図４（Ｄ）のように、ラッチ解除阻止筐体１００がコネクタ１０に装着された状態において、コネクタジャック（ハブ３０）とラッチ解除阻止筐体１００との隙間からラッチ用フラッパ１２を押圧しようと試みても、前側延長部１１４がコネクタジャック（ハブ３０）に近接しているため、押圧するための板状体などを差し込む隙間ができない。従って、コネクタ１０の不正な抜去を防止できる。
【００３９】
更にまた、図２を参照して説明したように、ラッチ解除阻止筐体１００の背面側は、フラッパ収容部１１３については、その後端側が適宜の壁面で閉じられている。また、上側コネクタ本体収容部１１２及び下側コネクタ本体収容部１２２については、コーン状部１３０が連なって形成されＬＡＮケーブル２０との隙間も閉じられている。
このため、ラッチ解除阻止筐体１００の背面側にも、ラッチ用フラッパ１２を押圧するための棒状体などを差し込む隙間がない。従って、コネクタ１０の不正な抜去を防止できる。
【００４０】
本発明は、上述の実施形態に限定されない。例えば、ラッチ解除阻止筐体１００の細孔１１１はスリット状であったが、星形、その他、種々の特殊な形状を採ることができる。当然ながら、細孔１１１に対応するラッチ解除用工具２００の押圧片部２１１の形状も細孔１１１の形状に適合したものとする。
【００４１】
また、本発明は、
ＬＡＮケーブル用コネクタ（１０）のラッチ用フラッパ（１２）を覆う第１カバー部（１１０）と、前記第１カバー部（１１０）と組み合わされて前記ＬＡＮケーブル用コネクタ（１０）の外周を覆う筐体を構成する第２カバー部（１２０）と、を有し、前記第１カバー部（１１０）は、前記ラッチ用フラッパ（１２）に向けて貫通した細孔（１１１）が形成され、前記第２カバー部（１２０）は、前記ＬＡＮケーブル用コネクタ（１０）のケーブル接続部外殻に形成された凹部（１３）に係合する係止用凸部（１２１）が内面に突設されている、ラッチ解除阻止筐体（１００）と、
細孔（１１１）を通してラッチ用フラッパ（１２）に達する押圧片部（２１１）と、押圧片部（２１１）から離隔する方向に延びる第1被操作部（２１２）と、第1被操作部（２１２）と所定の可動結合部（２３０）で部分的に結合され、且つ、押圧片部（２１１）側に向けて延びるとともに、押圧片部（２１１）に対して接近可能な第２被操作部（２２１）と、を含んでなるラッチ解除用工具２００と、の
セットとしても成立するものである。
【符号の説明】
【００４２】
１０        ＬＡＮケーブル用コネクタ
１１        本体
１２        ラッチ用フラッパ
１３        凹部
２０        ＬＡＮケーブル
３０        ハブ
１００      ラッチ解除阻止筐体
１００ａ    コネクタ本体収容空間
１１０      第１カバー部
１１１      細孔
１１１ａ    内壁
１１１ｂ    内壁
１１２      上側コネクタ本体収容部
１１３      フラッパ収容部
１１４      前側延長部
１２０      第２カバー部
１２１      係止用凸部
１２１ａ    傾斜面部
１２１ｂ    係止面部
１２２      下側コネクタ本体収容部
１３０      コーン状部
１３１      上部コーン
１３２      下部コーン
１４１      可動結合部
２００      ラッチ解除用工具
２１０      第1部材
２１１      押圧片部
２１２      第1被操作部
２２０      第２部材
２２１      第２被操作部
２３０      可動結合部
【図１】
0005989744.tif 000002
【図２】
0005989744.tif 000003
【図３】
0005989744.tif 000004
【図４】
0005989744.tif 000005
【図５】
0005989744.tif 000006
【図６】
0005989744.tif 000007